(57)【要約】  本発明は、炭素を含む被加工物（１）のシリコン処理装置に関し、当該シリコン処理装置は、入口（１１０）および出口（１２０）を有しその室内にシリコン処理機器（１３０）が設けられている加工室（１００）と、固定支持部（２１０）および搬送部（２２０）を有する搬送機器（２００）とを備えている。上記支持部は、上記入口（１１０）と上記シリコン処理機器（１３０）との間、および上記シリコン処理機器と上記出口（１２０）との間に設けられており、上記搬送部は、互いに平行して移動可能な２つのビーム（２２１、２２２）を含む。ここで、上記支持部（２１０）および上記搬送部（２２０）は、それぞれ一対の溝（２１０ａ、２２０ａ）を有し、それぞれの対の２つの溝（２１０ａ、２２０ａ）が、上記搬送機器（２００）の長手方向軸Ｌに対して互いに向かい合い、且つ、棒状体（１０）または被加工物を受け入れるために設けられる。さらに、上記搬送部（２２０）は、上記支持部（２１０）に載置かれた棒状体（１０）を、長手方向軸Ｌに沿って、上記入口（１１０）から上記シリコン処理機器（１３０）へ、および、当該シリコン処理機器から上記出口（１２０）へと、同調して移動させるために、持ち上げ運動、送り運動、および降下運動を含む運動サイクルを繰り返し行うように作動可能となっている。
2013535396.tif 000002
【特許請求の範囲】
【請求項１】
炭素を含む被加工物（１）をシリコン処理するシリコン処理装置であって、上記シリコン処理装置は、
入口（１１０）および出口（１２０）を有し、室内にシリコン処理機器（１３０）が設けられている加工室（１００）と、
固定支持部（２１０）および搬送部（２２０）を有する搬送機器（２００）と、を備え、
上記支持部は、上記入口（１１０）と上記シリコン処理機器（１３０）との間、および上記シリコン処理機器と上記出口（１２０）との間に設けられており、
上記搬送部は、互いに平行して移動可能な２つのビーム（２２１、２２２）を含み、
上記支持部（２１０）および上記搬送部（２２０）は、それぞれ一対の溝（２１０ａ、２２０ａ）を有し、それぞれの対の２つの溝（２１０ａ、２２０ａ）が、上記搬送機器（２００）の長手方向軸Ｌに対して互いに向かい合い、且つ、棒状体（１０）を支持するため、または、被加工物自体を直接支持するために設けられ、
上記搬送部（２２０）は、上記支持部（２１０）に載置かれた棒状体（１０）を、長手方向軸Ｌに沿って、上記入口（１１０）から上記シリコン処理機器（１３０）へ、および、当該シリコン処理機器から上記出口（１２０）へと、同調して移動させるために、持ち上げ運動、送り運動、および降下運動を含む運動サイクルを繰り返し行うように作動可能となっていることを特徴とするシリコン処理装置。
【請求項２】
上記支持部（２１０）の溝対（２１０ａ）は、互いに同じ間隔で形成されていることを特徴とする請求項１に記載のシリコン処理装置。
【請求項３】
上記支持部（２１０）は、互いに平行なビーム（２１１、２１２）を含むことを特徴とする請求項１または２に記載のシリコン処理装置。
【請求項４】
上記搬送部の第１のビーム（２２１）は、一方向に支持部（２１０）の第１のビーム（２１１）に接して延び、上記搬送部の第２のビーム（２２２）は、同じ方向に上記支持部の第２のビーム（２１２）に接して延びることを特徴とする請求項３に記載のシリコン処理装置。
【請求項５】
上記運動サイクルは、持ち上げ運動、送り運動、降下運動、および戻り運動をこの順に含む、閉じたサイクルであることを特徴とする請求項１から４までのいずれか１項に記載のシリコン処理装置。
【請求項６】
入口（１１０）とシリコン処理機器（１３０）との間に存在する支持部（２１０）の第１の部分が、空間的に、シリコン処理機器（１３０）と出口（１２０）との間に存在する第２の部分の上方に配置されていることを特徴とする請求項１から５までのいずれか１項に記載のシリコン処理装置。
【請求項７】
上記シリコン処理機器（１３０）は、その中に２つの回転円筒（１３２）が設けられている槽（１３１）を含み、上記搬送機器（２００）は、支持部（２１０）に載置されている棒状体（１０）を、１つの運動サイクルにおいて、回転円筒（１３２）の間に載置し、続く運動サイクルにおいて、再び取り上げて支持部（２１０）に載置するように構成されていることを特徴とする請求項１から６までのいずれか１項に記載のシリコン処理装置。
【請求項８】
上記シリコン処理機器（１３０）は、その中に複数の回転しない円筒が設けられている槽（１３１）を含み、上記搬送機器（２００）は、支持部（２１０）に載置されている１または複数の被加工物（１０）を、１つの運動サイクルにおいて、上記回転しない円筒の上に載置し、続く運動サイクルにおいて、再び取り上げて支持部（２１０）に載置するように構成されていることを特徴とする請求項１から７までのいずれか１項に記載のシリコン処理装置。
【請求項９】
炭素を含む被加工物（１）のシリコン処理方法であって、上記シリコン処理方法は、
ａ）１または複数の被加工物（１）を棒状体（１０）に取り付ける工程と、
ｂ）シリコン処理の加工室の入口（１１０）と当該室内にあるシリコン処理機器（１３０）との間、および当該シリコン処理機器（１３０）とシリコン処理の加工室の出口（１２０）との間に延びる固定支持部（２１０）、および、互いに平行して移動可能な２つのビーム（２２１、２２２）を含む搬送部（２２０）を含む搬送機器（２００）の一対の溝（２１０ａ、２２０ａ）の上に上記棒状体（１０）を載置する工程と、
ｃ）上記棒状体（１０）が入口（１１０）からシリコン処理機器（１３０）の内部まで段階的に運搬されるように、当該棒状体（１０）を、搬送部（２２０）により、１回または数回の持ち上げ、送り、および降下により支持部（２１０）の上に搬送する工程と、
ｄ）シリコン処理機器（１３０）における、被加工物（１）のシリコン処理の工程と、
ｅ）上記棒状体（１０）がシリコン処理機器（１３０）から出口（１２０）まで段階的に運搬されるように、当該棒状体（１０）を、搬送部（２２０）により、繰り返される持ち上げ、送り、および降下により支持部（２１０）の上に搬送する工程とを含んでいることを特徴とするシリコン処理方法。
【請求項１０】
上記工程ｃ）および上記工程ｅ）において、持ち上げ運動、送り運動、および降下運動の運動サイクルが、互いに一致していることを特徴とする請求項９に記載のシリコン処理方法。
【請求項１１】
上記運動サイクルは、搬送部（２２０）のビーム（２２１、２２２）の持ち上げ運動、送り運動、降下運動、および戻り運動をこの順に含む、閉じたサイクルであり、ビーム（２２１、２２２）の戻り運動の間に、上記棒状体（１０）が支持部（２１０）の一対の溝（２１０ａ）に支持されていることを特徴とする請求項９または請求項１０に記載のシリコン処理方法。
【請求項１２】
上記シリコン処理機器（１３０）は、融解ケイ素で満たされた槽（１３１）を含み、上記シリコン処理機器（１３０）の内部への運搬は、棒状体（１０）を、槽（１３１）内の回転円筒（１３２）の上に載置することを含むことを特徴とする請求項９から１１までのいずれか１項に記載のシリコン処理方法。
【請求項１３】
上記工程ａ）は、被加工物（１）にある貫通開口部を通って、棒状体（１０）を貫入することを含むことを特徴とする請求項９から１２までのいずれか１項に記載のシリコン処理方法。
【請求項１４】
ケイ素をはじく材料からなるスリーブが、棒状体（１０）と被加工物（１）との間に配置されることを特徴とする請求項１３に記載のシリコン処理方法。
【請求項１５】
上記工程ｅ）は、上記工程ｃ）が行われる空間的領域の下方の空間的領域において行われることを特徴とする請求項９から１４までのいずれか１項に記載のシリコン処理方法。
【発明の詳細な説明】
【技術分野】
【０００１】
本発明は、炭素を含む被加工物のシリコン処理のための装置および方法に関する。
【０００２】
材料のシリコン処理のプロセスは、炭素を含む被加工物の安定性を向上させる表面処理方法である。基本となる反応は、被加工物内における炭素およびケイ素の、炭化ケイ素への融合である。
【０００３】
炭素を含む原料をシリコン処理する方法は、例えばＥＰ０９５６２７６Ａ１により開示されている。上記方法によれば、シリコン処理すべき炭素を含む原料は、結合した粉末状のケイ素と共に加熱され、これにより、溶融したケイ素が被加工物に侵入し、且つ、その中で、少なくとも一部が反応して炭化ケイ素に変化する。しかしながら、上記方法は、バッチ式でのみ行いうるので、工業規模で使用するには限界がある。
【０００４】
ＤＥ１０２００６００９３８８Ｂ４は、上記方法の改良を提案する。これにより開示された方法は、空間的に、複数の加工室で分けて行われる。各加工室は、それぞれ特定の温度および圧力に保たれている。これにより、シリコン処理すべき被加工物は、加熱、ケイ素との反応、および冷却のために、それぞれの加工室に次々に配置される。被加工物は、加工室から次の加工室に搬送されるので、第１の加工室には、さらに、新しい被加工物を運び入れることが可能である。これによって、処理能力は向上するが、その向上の程度は、限定的である。
【０００５】
それ故に、本発明の課題は、連続的なプロセスの実施を可能にする、炭素を含む被加工物のシリコン処理の装置および方法を提供することにある。
【０００６】
本発明によれば、上記課題は、請求項１の特徴を有する装置、および請求項８の特徴を有する方法により解決される。
【０００７】
好ましい実施形態は従属請求項に規定される。
【０００８】
本発明の実施形態によれば、炭素を含む被加工物のシリコン処理装置には、入口および出口を有しその室内にシリコン処理機器が設けられている加工室と、固定支持部および搬送部を有する搬送機器とが備えられている。上記支持部は、上記入口と上記シリコン処理機器との間、および上記シリコン処理機器と上記出口との間に設けられており、上記搬送部は、互いに平行して移動可能な２つのビームを含む。ここで、上記支持部および上記搬送部は、それぞれ一対の溝を有し、それぞれの対の２つの溝が、上記搬送機器の長手方向軸Ｌに対して互いに向かい合い、且つ、棒状体または被加工物自体を受け入れるために設けられる。さらに、上記搬送部は、上記支持部に載置された棒状体を、長手方向軸Ｌに沿って、上記入口から上記シリコン処理機器へ、および、当該シリコン処理機器から上記出口へと、同調して移動させるために、持ち上げ運動、送り運動、および降下運動を含む運動サイクルを繰り返し行うように作動可能となっている。
【０００９】
従って、装置の核心部分は、シリコン処理機器自体と並んで、特別に設けられた搬送機器である。この搬送機器により、処理される被加工物は、断続的に、加工室内を通ってシリコン処理機器へと移動し、続いて、シリコン処理工程の後に、当該シリコン処理機器から離れていく。本発明の方法において上記装置を使用した場合、それぞれの運動サイクルにおいて、棒状体に取り付けられた１または複数の被加工物が、支持部に沿って、シリコン処理機器の方向に搬送され、それに引き続いて、シリコン処理機器から加工室の出口へ搬送される。このときに、搬送部の梁は、運動サイクルの持ち上げステップにおいて、下方から、支持部のそれぞれ一対の溝に載置されている棒状体若しくはキャリア、または、被加工物自体を把持する。上記棒状体は、従って、支持部のその一対の溝から持ち上げられ、搬送部の一対の溝の上に置かれる。続く送りステップでは、搬送部のビームの溝に載置されている棒状体は、入口‐シリコン処理機器‐出口の順により定義される進行方向に、所定の間隔をあけて搬送される。次に、上記棒状体は、降下ステップにおいて、再び支持部の上に載置される。しかしながら、このときは、上記棒状体は、元々それぞれの棒状体に割り当てられた溝の一対から、進行方向に離れたところに位置する溝、例えばそれぞれの進行方向に隣接する溝の一対に、載置される。この方法により、加工室を経由する、進行方向への、棒状体の段階的な運搬が達成される。
【００１０】
運動サイクルと次の運動サイクルとの合間に、数分または数時間の休止があってもよい。当該休止の間、棒状体、および当該棒状体に取付けられた被加工物は支持部の上に置かれたままである。あるいは、前の運動サイクルにおいて、シリコン処理機器に運び入れられた棒状体は、当該休止の間に、本来のシリコン処理にかけられて、その後、次の運動サイクルにおいて、上記シリコン処理機器から運び出され、さらに、該搬送機器に沿って出口の方向に搬送される。それ故に、上記被加工物は、表面処理のために導入されたケイ素と接触させるためにシリコン処理機器内に置かれている時間に比べて、全体としてはるかに長い時間加工室に置かれる。上述の、入口からシリコン処理機器までの段階的な給送の間に、上記被加工物は、当該被加工物がシリコン処理機器に搬入される時に適切な温度となっているように、加工室内の約１３００℃から１８００℃までの高い温度により、徐々に加熱される。シリコン処理機器自体は、ケイ素が溶融状態でその中に入っているので、通常、加工室の最も熱い箇所である。しかしながら、予熱温度がシリコン処理温度より高く設定されるように、温度を制御することも可能である。逆に、被加工物は、加工室のシリコン処理機器から加工室の出口までの進路において冷却される。
【００１１】
上記本発明の装置により、連続的なプロセスを実現することができる。この連続的なプロセスの有利な点は、被加工物について単位時間あたりの処理能力の向上を達成することができる点である。さらに、上記加工室を、バッチ毎に加熱したり冷却したりする必要はない。被加工物の加熱および冷却の処理は、少なくとも部分的に加工室内にて行われるために、先行技術として挙げられている、連続する複数の加工室は、必ずしも必要ではない。
【００１２】
加工室内の温度状況および圧力状況を安定に保つために、入口および出口は、好ましくは、加工室内の状態を変更せずに、棒状体の上に備えられた被加工物の運び入れおよび運び出しを可能にするロックゲートの形で形成される。適合したロックゲートは、従来技術により知られているために、ここでは、その具体的な実施形態については詳しく説明しない。
【００１３】
上記搬送機器は、容易な方法により、加工室内にて、棒状体に取り付けられた被加工物の段階的な移動を可能にする。搬送部のビームを使って下方から把持または載置することによる、運動サイクルの間の、支持部の一対の溝から搬送部の一対の溝への棒状体の移動、および、搬送部の一対の溝から支持部の一対の溝への棒状体の移動のために、搬送および載置のときの機械的負荷は小さくなる。それゆえ、上記搬送機器自体を、可動の機械的ロック部を有すること無く、加工室内の高温度領域に設けることができる。上記の簡単な機構により、加工室内の極端な温度条件下でも、搬送機器は摩耗耐性を有する。これに関連して補足すべきことは、加工室内にある上記搬送機器の部分が、搬送部の可動のビームおよび支持部に限られているのに対し、上記搬送機器の駆動部、制御部などのすべての重要な要素は、適切に加工室の外部に配置されていることである。搬送機器の加工室内に存在する部分は、損傷することなく高温に耐えられるように、例えばグラファイト、特に微粒子グラファイト、またはＣＦＣ‐部材から製造されうる。
【００１４】
上記搬送部だけではなく、搬送機器の上記支持部も、２つの平行するビームの形で実現されていてもよい。搬送部のビームと対照的に、支持部のビームは、加工室内に動かない状態で固定されている。支持部のビームおよび搬送部のビームは、それぞれ、搬送機器の長手方向軸Ｌに沿って平行して並ぶ一対の溝を有する。本発明の一実施形態によれば、ここで、搬送部の第１のビームは、一方向に支持部の第１のビームに接して延び、搬送部の第２のビームは、同じ方向に支持部の第２のビームに接して延びる。すなわち、搬送部の１つのビームは、支持部の両方のビームの間で支持部の一方のビームに隣接し、他方で、搬送部の第２のビームは、支持部の他方のビームに隣接して、支持部のビームにはさまれた空間の外部に配置されている。この構成の有利な点は、支持部の一対の溝における２つの溝の間隔が、搬送部の一対の溝における２つの溝の間隔と同じであることである。従って、棒状体が溝内に載置される位置の間にある、各棒状体の範囲の大きさが常に同じであることにより、使用中に、棒状体にかかる負荷は一定である。
【００１５】
上記運動サイクルは、特に、持ち上げ運動、送り運動、降下運動、および戻り運動をこの順に含む、閉じたサイクルであってもよい。ここで、搬送部のビームの戻り運動は、搬送部の溝の上に載置される棒状体がないときに起こる。それ故に、搬送部のビームは、略長方形の運動をし、これにより、各運動サイクルの後に、搬送部の出発点に戻ることができる。これにより、上記搬送部のビームは、そのたびに、支持部に対して、僅かに進行方向に移動する。ここで、"僅かに"との表現は、棒状体が入口からシリコン処理機器を経由して出口まで進む全距離に対する、各サイクルによる進行方向への動きに関する。この割合は、とりわけ２０％より小さく、より好ましくは１０％より小さい。
【００１６】
本発明の好ましい他の実施形態では、入口とシリコン処理機器との間に存在する支持部の第１の部分が、空間的に、シリコン処理機器と出口との間に存在する第２の部分の上方に配置されている。そのことは、入口および出口が、加工室の同じ側に、例えば直接上下に配置されていることを意味する。本実施形態では、上記搬送機器が、棒状体を、まず入口からシリコン処理機器まで第１の方向に沿って移動させ、次に当該シリコン処理機器の下方に、およびさらなるステップにおいてシリコン処理機器から出口まで第２の方向に沿って移動させる。ここで、当該第２の方向は、例えば第１の方向と逆方向であってもよい。この実施形態の有利な点は、シリコン処理の工程（第２の部分）に続く冷却段階が、加温段階（第１の部分）に比べて、空間的により低い領域で起こるため、エネルギーを節約するように、既にシリコン処理した加工物から放射されている余熱を、搬入された被加工物の加熱工程の補助に用いることができる点である。
【００１７】
上記シリコン処理機器は、例えばその中に２つの回転円筒が配設されている槽を含んでいてもよい。ここで、上記搬送機器は、支持部に載置されている棒状体を、１つの運動サイクルにおいて、回転円筒の間に載置し、続く運動サイクルにおいて、再び取り上げて支持部に載置するようになっている。上記実施形態は、被加工物が、回転円筒の回転による、槽中の融解ケイ素への当該被加工物の連続的な浸漬を容易にする略円板状の形を有する場合に、とりわけ好適である。勿論、搬送機器により供給された被加工物を融解ケイ素槽に浸漬するために、他の公知の機構を用いることは可能である。
【００１８】
本発明において、"被加工物"という場合、当該用語は、シリコン処理するべき完成部品だけではなく、中間材料または未加工品も含む。
【００１９】
本発明は、さらに、以下の工程を有する、炭素を含む被加工物のシリコン処理の方法に関する：ａ）１または複数の被加工物を棒状体に取り付ける工程；ｂ）シリコン処理の加工室の入口と当該室内にあるシリコン処理機器との間、および当該シリコン処理機器とシリコン処理の加工室の出口との間に延びる固定支持部、および、互いに平行して移動可能な２つのビームを含む搬送部を含む搬送機器の一対の溝の上に上記棒状体を載置する工程；ｃ）上記棒状体が入口からシリコン処理機器の内部まで段階的に運搬されるように、当該棒状体を、搬送部により、１回または数回の持ち上げ、送り、および降下により支持部の上に搬送する工程；ｄ）シリコン処理機器における、被加工物のシリコン処理の工程；および、ｅ）上記棒状体がシリコン処理機器から出口まで段階的に運搬されるように、当該棒状体を、搬送部により、繰り返される持ち上げ、送り、および降下により支持部の上に搬送する工程。
【００２０】
したがって、上記方法は、上記装置を用いる連続的な方法である。上記搬送機器により、同時に複数の棒状体を搬送することが可能であるため、加工室内には、常に、処理の様々な段階にある複数の被加工物が存在する。実際には、被加工物を棒状体に取り付けるまたは固定する工程ａ）は、通常、加工室の外部において、例えば、ロックゲートの中で、上述したシリコン処理の加工室内の温度より低い温度において行われる。適合した配置において、被加工物が直接搬送機器の上に載置されうる場合には、棒状体を用いない構成も可能である。
【００２１】
上記工程ｃ）およびｅ）において、持ち上げ、送り、および降下の運動サイクルは、互いに同じであってもよい。これは、送りの長さと、持ち上げあるいは降下の高さが、各サイクルにおいて同じであることを意味する。すなわち、処理の全体にわたって、同様な運動が行われ、そのことは、プロセスの制御に関して、有利な点として容易さをもたらす。
【００２２】
上述したように、上記運動サイクルは、搬送部のビームの持ち上げ運動、送り運動、降下運動、および戻り運動を、この順序で含む閉じたサイクルであってもよく、ここで、ビームの戻り運動のときに、棒状体が、支持部の一対の溝において支持されている。上記方法により、棒状体が支持部の上に載置されている間の"待ち時間"は、搬送部のビームを戻すために用いられうる。さらに、このような運動において、搬送部のビームは、それぞれの運動ごとに、短い距離のみの移動が必要であるために、受ける負荷が少ない。
【００２３】
他の実施形態では、上記シリコン処理機器は、融解ケイ素で満たされた槽を含み、ここで、上記シリコン処理機器の内部への運搬は、棒状体を、槽内の回転円筒の上に載置することを含む。しかし、代替的に、上記棒状体は、浸漬のための他の手段により融解ケイ素に浸漬されてもよく、また、回転しない円筒の上に載置されてもよい。
【００２４】
工程ａ）は、被加工物にある貫通開口部を通って、棒状体を貫入することを含む。すなわち、それぞれの被加工物は、いわば棒状体に"通されている"。ここで、被加工物および棒状体のサイズによって、複数の被加工物が並んで１つの棒状体に配置されていてもよい。上記方法により、本発明の方法において、被加工物の単位時間当たりの処理能力がより大きくなる。上記貫通開口部は、被加工物の本来の形状に基づくものであってもよいし、適合する箇所に、特に、棒状体の取付けのために空けておいたものであってもよい。
【００２５】
上記被加工物が、棒状体に付着することを防ぐために、例えば、ケイ素をはじく材料からなるスリーブが、棒状体と被加工物との間に配置されうる。しかしながら、被加工物の粘着に対する、棒状体の含浸に係るすべての他の方法も、完成した加工物を棒状体から取り外すことを容易にするために用いられうる。
【００２６】
上述したように、工程ｅ）は、工程ｃ）が行われる空間的領域の下方で行われてもよい。この方法により、処理工程ｅ）にある、冷却過程中の被加工物の余熱は、処理工程ｃ）にある被加工物の加熱に用いられうる。これによって、プロセスの経済性は、さらに促進される。
【００２７】
本発明は、次に、より詳しく、添付した図面に基づいて、限定されない実施形態により説明される。図面は以下の事項を示す：
【図面の簡単な説明】
【００２８】
【図１】図１は、本発明の方法に用いられる、棒状体に備えられた被加工物の側面図を示す。
【図２】図２は、本発明の、炭素を含む被加工物のシリコン処理のための装置の第１の実施形態を示す平面図を示す。
【図３】図３は、図２の実施形態の側面図を示す。
【図４】図４は、本発明の装置の代替的な実施形態を示す。
【００２９】
図面においては、異なる図面における同一または対応する要素を示すために、同一の参照番号が用いられている。
【００３０】
図１は、それぞれ１つの貫通開口部１ａを有する被加工物１の例示的な配置を示す。当該被加工物は、当該貫通開口部により、棒状体１０あるいは円形のビームに取付けられている。示されている図面は、本発明の方法によりシリコン処理される被加工物１の一例であるブレーキディスクである。しかしながら、勿論、他の被加工物および未加工品も、本発明の方法により表面加工されうる。その限定されない例は、板、管、棒状体、および他の形状のものである。
【００３１】
本発明の方法の第１の処理工程ａ）では、被加工物１が、棒状体１０に取付けられる。その場合、ここで示される実施形態では、被加工物１は、特定の固定具を必要とすることなく、棒状体に確実に取付けられている。シリコン処理の間に、被加工物１が棒状体１０に付着することを防ぐために、当該棒状体には、例えば、付着防止コーティング、すなわち、例えば窒化ホウ素、窒化ケイ素、または類似の材料からなる、ケイ素をはじくコーティングが施されていてもよい。
【００３２】
次に図２には、本発明の装置の第１の実施形態が、平面図により示されている。上記図面は加工室１００の内部を示す。たとえ当該加工室内部において、複数の処理工程、例えば本来のシリコン処理の前あるいは後の被加工物１の加熱および冷却が行われるとしても、加工室は、以下、シリコン処理加工室とも称される。
【００３３】
加工室１００は、本実施形態において、加工室１００の内部を挟んで向かい合っている、１つの入口１１０および１つの出口１２０を含む。上記入口１１０と上記出口１２０との間には、ここでは、融解ケイ素によって満たされ、加熱されている槽１３１の形のシリコン処理機器１３０がある。重要な点は、ケイ素を液体状態に保つために、加工室１００のこの部分において、十分に高い温度が維持されていることである。槽１３１の中には、回転円筒１３２、ここでは２つの回転円筒１３２が備えられており、当該回転円筒は、被加工物１を次々に、その周囲に沿って融解ケイ素に浸漬するために（処理工程ｄ））、回転円筒の軸の周りに回転可能となっている。
【００３４】
本発明の装置は、さらに、搬送機器２００を含み、当該搬送機器が、第１のビーム２１１および第２のビーム２１２を有する支持部２１０を含む。上記ビーム２１１および２１２は、示されている通り、基本的に、互いに平行して上記搬送機器２００の長手方向軸Ｌに沿って配置され、ここで、各ビーム２１１、２１２が溝２１０ａを有する。このとき、第１のビーム２１１のそれぞれ１つの溝２１０ａが、長手方向軸Ｌに対して向かい合って配置されている溝２１０ａと共に、棒状体１０を支持するための一対の溝を形成する。
【００３５】
同様に、搬送機器２００の搬送部２２０も、互いに平行して上記搬送機器２００の長手方向軸Ｌに沿って配置されている第１のビーム２２１および第２のビーム２２０を含む。ここで、搬送部２２０の第１のビーム２２１は、第１の方向に（図面の左側において）、支持部２１０の第１のビーム２１１に隣接して配置されている。対応して、搬送部２２０の第２のビーム２２２は、第１の方向に（図面の左側において）、支持部２１０の第２のビーム２１２に隣接して配置されている。搬送部２２０のビーム２２１、２２２も、１組になって配置された、それぞれの溝２２０ａを含む。
【００３６】
図３および図４に基づいて、被加工物１を棒状体１０に取付けた後の本発明のさらなる処理方法について説明する。上記棒状体１０は、既に搬送機器２００の上に配置されて示され、ここで、配置の工程ｂ）は、図示された加工室１００の外部にて行われる。
【００３７】
図３により明らかなことは、搬送機器２００の支持部２１０および搬送部２２０がいずれも、２つの部分に分けられ、ここで、第１の部分において、シリコン処理機器１３０の空間的に手前で（図面の左側において）、棒状体１０をシリコン処理機器に搬送する工程ｃ）が行われることである。これにより、複数の棒状体１０は、搬送方向に（直線の矢印）並べられて、搬送部２２０のビーム２２２の溝２２０ａに載置されており、ここで、ビーム２２２が、支持部２１０のビーム２１２に対して、持ち上げられた位置にあることが分かる。上記ビーム２２２は、ビーム２２１（図３および４に示されない）と共に、図３および４において、左側の閉じた線により概略的に示されているような閉じた運動サイクルを実行する。これにより、それぞれの運動サイクルにおいて、各棒状体は、右に向かって、シリコン処理機器の槽１３１の方向に送られ、再び、支持部２１０の溝２１０ａの上に載置される。
【００３８】
図３の中心に示されている被加工物１は、シリコン処理の工程ｃ）にあり、ここで、当該被加工物は、槽１３１中の融解ケイ素に浸漬するために、槽１３１の回転円筒１３２の上に載置される。当該被加工物は、工程ｃ）の最後の運動サイクルにおいて、搬送機器２００の搬送部２２０から当該回転円筒１３２の上に配置される。
【００３９】
上記搬送機器２００の第２の部分（図３では、シリコン処理機器１３０の右側）において、棒状体１０を、出口１２０（図３に示されない）に搬送する工程ｅ）が行われる。当該工程は、閉曲線矢印により図３の右側に概略的に示されているように、工程ｃ）と対応して行われる。ここで、搬送部２２０の一運動サイクルには、搬送方向への、一対の溝２１０ａから隣接する一対の溝２１０ａまでの間隔の搬送、またはその間隔の何倍にもわたる距離の搬送が含まれていてもよい。工程ｅ）の間、被加工物１は、段階的にシリコン処理機器１３０から離れるときに、徐々に冷却される。
【００４０】
図４には、図３による実施形態の代替的な実施形態が示される。ここでは、工程ｄ）にて発生した余熱をとりわけ合理的に用いることができる。本実施形態では、図２および図３に示す実施形態とは異なり、搬送機器２００の第２の部分が、シリコン処理機器１３０の同じ側において、しかし、搬送機器２００の第１の部分の下方に配置されている。
【００４１】
図４においても、支持部２１０のビーム２１２、および搬送部２２０のビーム２２２のそれぞれが、それぞれの溝２１０ａ、２２０ａと共に、閉じた運動サイクル（閉曲線矢印）の中にある状態で示され、この状態では、ビーム２２２は、ビーム２１２に対して、持ち上げられた位置にあり、したがって、被加工物１は、支持部２１０の上に載置されていない運動段階にある。
【００４２】
本実施形態では、工程ｃ）と工程ｄ）との間に中間工程を設ける必要があり、当該中間工程では、そのときにシリコン処理機器１３０の槽１３１にある被加工物１が、その棒状体１０と共に、下方に向かって、搬送機器２００の第２の部分の上に搬送される。この搬送は、搬送部２２０のビーム２２１、２２２自体、または独立した機構（例えば下方へ搬送するための一対の追加ビーム）により行われてもよい。
【００４３】
本発明の装置および本発明の方法により、公知の方法に比べて、使用される手段を減らし、被処理物の処理能力を向上させるシリコン処理を達成することができる。
【符号の説明】
【００４４】
１  被加工物、  １ａ  貫通開口部、  １０  棒状体、  １００  加工室、  １１０  入口、  １２０  出口、  １３０  シリコン処理機器、  １３１  槽、  １３２  回転円筒、  ２００  搬送機器、  ２１０  支持部、  ２１０ａ  溝対、  ２１１  第１のビーム、  ２１２  第２のビーム、  ２２０  搬送部、  ２２０ａ  溝対、  ２２１  第１のビーム、  ２２２  第２のビーム
【図１】
2013535396.tif 000003
【図２】
2013535396.tif 000004
【図３】
2013535396.tif 000005
【図４】
2013535396.tif 000006
【国際調査報告】
2013535396.tif 000007
2013535396.tif 000008
2013535396.tif 000009
2013535396.tif 000010